【手続補正書】
【提出日】平成28年12月12日(2016.12.12)
【手続補正１】
【補正対象書類名】明細書
【補正対象項目名】０００７
【補正方法】変更
【補正の内容】
【０００７】
本発明の一例は、ゲーム処理を実行可能であって本体装置側スライド部材を備える本体装置に装着可能なゲームコントローラである。  ゲームコントローラは、方向入力部と、第１操作ボタンと、第２操作ボタンと、コントローラ側スライド部材とを備える。方向入力部は、ゲームコントローラの正面に設けられる。第１操作ボタンは、正面に設けられる。第２操作ボタンは、正面に対する第１側面に設けられる。コントローラ側スライド部材は、正面に対する第２側面から突出して設けられ、本体装置側スライド部材に対して所定のスライド方向にスライド可能に係合することが可能である。コントローラ側スライド部材のスライド方向における一端と他端とのうちで、一端からコントローラ側スライド部材を本体装置側スライド部材に対して挿入することによって、ゲームコントローラは本体装置に対して装着されることが可能である。
ゲームコントローラは、係止部材を備える。係止部材は、本体装置側スライド部材に対する当該コントローラ側スライド部材のスライド移動であって、当該コントローラ側スライド部材が当該本体装置側スライド部材に対して挿入される方向とは逆方向へのスライド移動を係止する。係止部材は、第２側面に実質的に垂直なコントローラ側スライド部材の側面から突出可能に、かつ、スライド方向におけるコントローラ側スライド部材の上記一端よりも他端側に近い部分に設けられる。
コントローラ側スライド部材は、突出部と、少なくとも１つの端子とを備える。
突出部は、当該コントローラ側スライド部材の一端側からスライド方向に突出して設けられ、ゲームコントローラの第２側面の方を向く対向面を有する。少なくとも１つの端子は、対向面と第２側面との間に設けられ、本体装置と電気的に接続可能である。
ゲームコントローラは、第３操作ボタンおよび第４操作ボタンと、通信部とを備える。第３操作ボタンおよび第４操作ボタンは、コントローラ側スライド部材のうち、第２側面と実質的に同じ方向を向く面に設けられる。通信部は、少なくとも方向入力部、第１操作ボタン、および、第２操作ボタンに対する操作を表す情報を端子を介して本体装置へ送信する。
【手続補正２】
【補正対象書類名】特許請求の範囲
【補正対象項目名】全文
【補正方法】変更
【補正の内容】
【特許請求の範囲】
【請求項１】
ゲーム処理を実行可能であって本体装置側スライド部材を備える本体装置に装着可能なゲームコントローラであって、
前記ゲームコントローラは、
前記ゲームコントローラの正面に設けられる方向入力部と、
前記正面に設けられる第１操作ボタンと、
前記正面に対する第１側面に設けられる第２操作ボタンと、
前記正面に対する第２側面から突出して設けられ、前記本体装置側スライド部材に対して所定のスライド方向にスライド可能に係合することが可能なコントローラ側スライド部材とを備え、
前記コントローラ側スライド部材の前記スライド方向における一端と他端とのうちで、前記一端から前記コントローラ側スライド部材を前記本体装置側スライド部材に対して挿入することによって、前記ゲームコントローラは前記本体装置に対して装着されることが可能であり、
前記ゲームコントローラは、
前記本体装置側スライド部材に対する当該コントローラ側スライド部材のスライド移動であって、当該コントローラ側スライド部材が当該本体装置側スライド部材に対して挿入される方向とは逆方向へのスライド移動を係止する係止部材を備え、
前記係止部材は、前記第２側面に実質的に垂直な前記コントローラ側スライド部材の側面から突出可能に、かつ、前記スライド方向における前記コントローラ側スライド部材の前記一端よりも前記他端側に近い部分に設けられ、
前記コントローラ側スライド部材は、
当該コントローラ側スライド部材の前記一端側から前記スライド方向に突出して設けられ、前記ゲームコントローラの前記第２側面の方を向く対向面を有する突出部と、
前記対向面と前記第２側面との間に設けられ、前記本体装置と電気的に接続可能な少なくとも１つの端子とを備え、
前記ゲームコントローラは、
前記コントローラ側スライド部材のうち、前記第２側面と実質的に同じ方向を向く面に設けられる第３操作ボタンおよび第４操作ボタンと、
少なくとも前記方向入力部、前記第１操作ボタン、および、前記第２操作ボタンに対する操作を表す情報を前記端子を介して前記本体装置へ送信する通信部とを備える、ゲームコントローラ。
【請求項２】
前記コントローラ側スライド部材は、前記第２側面と実質的に同じ方向を向く面として、下段面と、上段面とを有しており、
前記下段面から前記第２側面までの距離は、前記上段面から前記第２側面までの距離よりも短く、
前記第３操作ボタンおよび前記第４操作ボタンは、前記下段面に設けられる請求項１に記載のゲームコントローラ。
【請求項３】
前記第３操作ボタンおよび前記第４操作ボタンは、前記上段面よりも突出しないように設けられる、請求項２に記載のゲームコントローラ。
【請求項４】
前記コントローラ側スライド部材は、前記スライド方向における中央より一端側に第１下段面を有し、前記スライド方向における中央より他端側に第２下段面を有し、
前記第３操作ボタンは、前記第１下段面に設けられ、
前記第４操作ボタンは、前記第２下段面に設けられる、請求項２または３に記載のゲームコントローラ。
【請求項５】
前記上段面において、前記第３操作ボタンと前記第４操作ボタンとの間に設けられ、ユーザに情報を報知するための発光部をさらに備える、請求項２から請求項４のいずれか１項に記載のゲームコントローラ。
【請求項６】
前記コントローラ側スライド部材は、前記下段面と前記上段面とを接続する斜面を有する、請求項２から請求項５のいずれか１項に記載のゲームコントローラ。
【請求項７】
前記端子は、前記対向面に設けられる、請求項１から請求項６のいずれか１項に記載のゲームコントローラ。
【請求項８】
前記端子は、当該端子の少なくとも一部が、前記対向面に設けられるスリット内に位置するように設けられる、請求項１から請求項７のいずれか１項に記載のゲームコントローラ。
【請求項９】
前記突出部は、前記対向面において、前記スライド方向と実質的に垂直な方向における前記端子の一方側または両側に、当該対向面から前記第２側面に向かって突出して設けられる壁部を有する、請求項１から請求項８のいずれか１項に記載のゲームコントローラ。
【請求項１０】
前記端子は、当該端子の先端が前記スライド方向において前記突出部の先端よりも前記コントローラ側スライド部材の中央に近い位置となるように設けられる、請求項１から請求項９のいずれか１項に記載のゲームコントローラ。
【請求項１１】
前記突出部は、前記スライド方向における端部が、当該突出部の先端に向けて薄くなる形状を有する、請求項１０に記載のゲームコントローラ。
【請求項１２】
前記コントローラ側スライド部材は、前記他端の端面が平面に形成される、請求項１から請求項１１のいずれか１項に記載のゲームコントローラ。
【請求項１３】
前記係止部材は、第１位置と、第２位置との間で移動可能であり、前記第１位置にある前記係止部材は、前記コントローラ側スライド部材の前記側面から、当該係止部材が前記第２位置にある状態よりも突出しており、前記係止部材は、前記第１位置にある突出状態となるように付勢されている、請求項１から請求項１２のいずれか１項に記載のゲームコントローラ。
【請求項１４】
ユーザによる操作によって移動可能な可動部材であって、ユーザによって操作されたことに応じて前記係止部材を前記第１位置から前記第２位置へと移動させる可動部材をさらに備える、請求項１３に記載のゲームコントローラ。
【請求項１５】
前記可動部材は、前記正面の裏側の面に設けられる、請求項１４に記載のゲームコントローラ。